【手続補正書】
【提出日】平成30年8月23日(2018.8.23)
【手続補正１】
【補正対象書類名】明細書
【補正対象項目名】０００４
【補正方法】削除
【補正の内容】
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
【特許文献１】特開２００９−８９９７７号公報（段落０４５３〜０４５９、０４６９、０５８６〜０５８７など）
【手続補正４】
【補正対象書類名】明細書
【補正対象項目名】０００７
【補正方法】変更
【補正の内容】
【０００７】
特許文献１に記載の遊技機では、ボーナスゲーム終了後に必ずＳＰ状態に移行するため、ボーナスゲームの直後にＡＴ遊技に移行しやすくなる。このような構成によると、有利な状態が短期間で連続して発生することにより、遊技者に過度な期待感を与えるおそれがある。
【手続補正５】
【補正対象書類名】明細書
【補正対象項目名】０００９
【補正方法】変更
【補正の内容】
【０００９】
上記した目的を達成するために、本発明の遊技機は、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、前記停止操作手段の操作手順によって遊技者に付与する有利度の異なる特定役を含む複数の役のいずれに当選したか否かを決定する役抽選を行う役抽選手段と、出玉率の異なる複数種類の設定値から一の設定値を設定可能な設定変更状態に制御する設定変更手段と、前記役抽選手段の役抽選結果が前記特定役の当選であったときに有利度の高い前記停止操作手段の操作手順が報知される遊技者に有利な特殊遊技を実行可能な報知可能遊技状態を含む遊技状態制御手段と、所定の条件を満たしたときに、非報知可能遊技状態に設定する遊技状態設定手段と、前記特殊遊技を含む前記報知可能遊技状態の継続期間をカウントする報知可能遊技状態カウント手段とを備え、前記所定の条件は、前記設定変更手段により設定変更状態に制御されて設定値が設定されたという第１条件と、前記報知可能遊技状態において特定終了条件が成立した第２条件と、前記報知可能遊技状態において前記特定終了条件が成立することなく前記報知可能遊技状態カウント手段のカウントにより所定期間経過したと判定されたという第３条件と、を含み、前記非報知可能状態において特定条件が成立したときに特定データに基づき前記報知可能遊技状態の設定を可能とする処理を行うようになっており（例えば、段落００５４および図１３（ｃ）、並びに、段落００６２および図１６（ｂ）、（ｃ））、少なくとも前記非報知可能遊技状態の移行契機が前記第１条件か前記第３条件のときに前記特定データとして共通のデータを用い、前記特定条件として、前記役抽選手段の役抽選結果が第１結果であるときと、第２結果であるときを含み（例えば、「第１結果」は図４３（ｂ）のチェリー当選、「第２結果」は図４３（ａ）のスイカ当選）、前記第１結果であるか前記第２結果であるかに関わらず、前記報知可能遊技状態に移行するときに用いられる付与される権利に関する抽選データは同一である（例えば、段落０３２９および図４３（ｃ））ことを特徴としている。
【手続補正６】
【補正対象書類名】明細書
【補正対象項目名】００１０
【補正方法】変更
【補正の内容】
【００１０】
この構成によれば、役抽選手段の役抽選結果が第１結果であるときと、第２結果であるときを含む特定条件が成立したときに、特定データに基づき報知可能遊技状態の設定を可能とする処理を行い、非報知可能遊技状態の移行契機が、設定変更手段により設定変更状態に制御されて設定値が設定されたという第１条件か、報知可能遊技状態において前記特定終了条件が成立することなく報知可能遊技状態カウント手段のカウントにより所定期間経過したと判定されたという第３条件のときに、特定データとして共通のデータを用いる。すなわち、特殊遊技が可能な報知可能状態が所定期間に到達するという遊技者に有利な状態が発生した後は、遊技開始の起点となる設定変更で用いる特定データと共通のデータを用いるため、過度な期待感を持たせて遊技者を煽るのを防止できる。また、第１結果であるか第２結果であるかに関わらず、報知可能遊技状態に移行するときに用いられる付与される権利に関する抽選データは同一である。
【手続補正７】
【補正対象書類名】明細書
【補正対象項目名】００１１
【補正方法】変更
【補正の内容】
【００１１】
また、演出態様を選択する演出態様選択手段を備え、前記第１条件に基づいて前記演出態様選択手段が演出態様を選択するために用いる選択用データと、前記第３条件に基づいて前記演出態様選択手段が演出態様を選択するために用いる選択用データとは異なるようにしてもよい。
【手続補正８】
【補正対象書類名】明細書
【補正対象項目名】００１２
【補正方法】変更
【補正の内容】
【００１２】
このように構成すると、設定変更されたという第１条件に基づいて演出態様を選択するために演出態様選択手段が用いる選択用データと、報知可能遊技状態において特定終了条件が成立することなく報知可能遊技状態カウント手段のカウントにより所定期間経過したと判定されたという第３条件に基づいて演出態様を選択するために演出態様選択手段が用いる選択用データとが異なる。したがって、設定変更の際と、経過時終了条件の成立による報知可能遊技状態の終了の際とで、各々の状態に適した演出態様で演出を実行することができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に特典を付与する遊技機において、
前記停止操作手段の操作手順によって遊技者に付与する有利度の異なる特定役を含む複数の役のいずれに当選したか否かを決定する役抽選を行う役抽選手段と、
出玉率の異なる複数種類の設定値から一の設定値を設定可能な設定変更状態に制御する設定変更手段と、
前記役抽選手段の役抽選結果が前記特定役の当選であったときに有利度の高い前記停止操作手段の操作手順が報知される遊技者に有利な特殊遊技を実行可能な報知可能遊技状態を含む遊技状態制御手段と、
所定の条件を満たしたときに、非報知可能遊技状態に設定する遊技状態設定手段と、
前記特殊遊技を含む前記報知可能遊技状態の継続期間をカウントする報知可能遊技状態カウント手段とを備え、
前記所定の条件は、前記設定変更手段により設定変更状態に制御されて設定値が設定されたという第１条件と、前記報知可能遊技状態において特定終了条件が成立した第２条件と、前記報知可能遊技状態において前記特定終了条件が成立することなく前記報知可能遊技状態カウント手段のカウントにより所定期間経過したと判定されたという第３条件と、を含み、
前記非報知可能状態において特定条件が成立したときに特定データに基づき前記報知可能遊技状態の設定を可能とする処理を行うようになっており、
少なくとも前記非報知可能遊技状態の移行契機が前記第１条件か前記第３条件のときに前記特定データとして共通のデータを用い、
前記特定条件として、前記役抽選手段の役抽選結果が第１結果であるときと、第２結果であるときを含み、
前記第１結果であるか前記第２結果であるかに関わらず、前記報知可能遊技状態に移行するときに用いられる付与される権利に関する抽選データは同一であることを特徴とする遊技機。
【請求項２】
演出態様を選択する演出態様選択手段を備え、
前記第１条件に基づいて前記演出態様選択手段が演出態様を選択するために用いる選択用データと、前記第３条件に基づいて前記演出態様選択手段が演出態様を選択するために用いる選択用データとは異なることを特徴とする請求項１に記載の遊技機。